(57)【要約】【課題】上げ潮、下げ潮、潮止まりでも発電ができる潮位発電装置の提供。【解決手段】上げ潮とその後の潮止まりでは潜函で作られた圧縮空気がタンク１０に貯蔵され、バルブ１１の調整圧力よりも高い圧力の圧縮空気がタンク１０から水槽部１２に導入され、水槽部１２が導入された圧縮空気と水槽部１２の下部に貯蔵された水に水圧がかかって高圧になった高圧水との混合された流体をタービン部１３に噴射し、タービン部１３の回転で発電機１５が回転して発電し、下げ潮及びその後の潮止まりでは潜函で作られた減圧空気がタンク１０に貯蔵され、バルブ１９の調整圧力よりも低い圧力の減圧空気が水槽部２１に導入され、水槽部２１が導入された減圧空気と水槽部２１の下部に貯蔵された水に水圧がかかって高圧になった高圧水との混合された流体をタービン部２０に噴射し、タービン部２０の回転で発電機２２が回転して発電する。【選択図】図１
2019078265.tif 000002
【特許請求の範囲】
【請求項１】
海側に設けられて潮の満ち干きで圧縮空気及び減圧空気を作る潜函と、陸側に設けられた圧縮空気発電機構部と、陸側に設けられた減圧空気発電機構部と、陸側に設けられ給水手段とを備えた潮位発電装置であって、前記圧縮空気発電機構部は、前記潜函で作られた前記圧縮空気の流通を許容する圧縮空気逆流防止バルブと、前記圧縮空気逆流防止バルブを流通した圧縮空気を貯蔵する圧縮空気タンクと、前記圧縮空気タンクに貯蔵された圧縮空気の圧力が調整圧力よりも高い圧力になるとその高い圧力の圧縮空気の流通を許容する圧縮空気圧力調整バルブと、前記圧縮空気圧力調整バルブを流通した圧縮空気と前記給水手段から供給されて貯蔵された水の水圧が下部の水にかかって高圧になった高圧水との混合された流体を噴射する圧縮空気放水銃付き水槽部と、前記圧縮空気放水銃付き水槽部から噴出された圧縮空気と高圧水との混合された流体を受けて回転する圧縮空気高圧水タービン部と、前記圧縮空気高圧水タービン部の回転に伴って回転して発電する圧縮空気側発電機とを備えた構成であり、前記減圧空気発電機構部は、前記潜函で作られた前記減圧空気の流通を許容する減圧空気逆流防止バルブと、前記減圧空気逆流防止バルブを流通した減圧空気を貯蔵する減圧空気タンクと、前記減圧空気タンクに貯蔵された減圧空気の圧力が調整圧力よりも低い圧力になるとその低い圧力の減圧空気の流通を許容する減圧空気圧力調整バルブと、前記減圧空気圧力調整バルブを流通した減圧空気と前記給水手段から供給されて貯蔵された水の水圧が下部の水にかかって高圧になった高圧水との混合された流体を噴射する減圧空気放水銃付き水槽部と、前記減圧空気放水銃付き水槽部から噴射された減圧空気と高圧水との混合された流体を受けて回転する減圧空気高圧水タービン部と、前記減圧空気高圧水タービン部の回転に伴って回転して発電する減圧空気側発電機とを備えた構成であることを特徴とする潮位発電装置。
【請求項２】
前記圧縮空気発電機構部が前記圧縮空気高圧水タービン部の回転を圧縮空気側発電機に伝達するとともに前記圧縮空気高圧水タービン部に噴射された流体から水を回収する回収ポンプ付きギヤーボックス部を備え、前記給水手段が前記回収ポンプ付きギヤーボックス部で回収された水を前記圧縮空気放水銃付き水槽部に戻すリターン管を備えたことを特徴とする請求項１記載の潮位発電装置。
【請求項３】
前記潜函は海底に人工漁礁設置可能に設けられた基礎部に固定されたことを特徴とする請求項１記載の潮位発電装置。
【発明の詳細な説明】
【技術分野】
【０００１】
本発明は、潮の満ち干で圧縮空気及び減圧空気を作り、この作られた圧縮空気及び減圧空気と高圧水との混合された流体で発電機のタービンを回転して発電する潮位発電装置に関する。
【背景技術】
【０００２】
図９を用いて特許文献で開示された潮位発電装置について説明する。図９示した潮位発電装置は、上げ潮時には潜函１０１の内部の海面の上昇に伴って潜函１０１の内部で圧縮された空気が潜函１０１の上部に設けられた圧縮空気タンク１０２に蓄えられ、蓄えられた圧縮空気が圧縮空気送気管１０３を経由して圧縮空気側発電機のタービン１０４を回転させて発電する一方、下げ潮が始まってしばらくの間は圧縮空気タンク１０２に蓄えられた圧縮空気により発電を継続しかつ下げ潮時には潜函１０１の内部の海面の下降に伴って潜函１０１の内部が減圧になり、外部から負圧空気流入管１０５を経由して潜函１０１の内に流入する減圧空気が減圧空気側発電機のタービン１０６を回転させて発電するようになっている。
【０００３】
しかしながら、図９示した潮位発電装置では、海に潜函１０１と圧縮空気タンク１０２とが設置されたことから、圧縮空気タンク１０２が台風で波風の影響を受けやすく、圧縮空気タンク１０２の保守点検がやりにくいうえ、減圧空気タンクが設けられていないので、潮が引いて海水面が低く下がりきった干潮から潮が満ち始めるまでの間における干潮後の潮止まり中は減圧空気側発電機が発電を停止する欠点がある。
【先行技術文献】
【特許文献】
【０００４】
【特許文献１】実用新案登録第３１４３１４３号公報
【発明の概要】
【発明が解決しようとする課題】
【０００５】
本発明は、上記背景技術に鑑みてなされたものであり、潜函以外の付帯設備の保守点検がやりやすく、満潮から潮が引き始めるまでの間における満潮後の潮止まり中並びに干潮から潮が満ち始めるまでの間における干潮後の潮止まり中でも発電ができる潮位発電装置を提供することを目的とする。
【課題を解決するための手段】
【０００６】
本発明は、上げ潮時に潜函で作られた圧縮空気が圧縮空気逆流防止バルブを経由して圧縮空気タンクに導入され、この圧縮空気タンクに導入された圧縮空気が圧縮空気圧力調整バルブの調整圧力よりも高い圧力になるまで圧縮空気タンクに貯蔵され、この圧縮空気タンクに貯蔵された圧縮空気の圧力が圧縮空気圧力調整バルブの調整圧力よりも高い圧力になると、圧縮空気圧力調整バルブが開き、調整圧力よりも高い圧力の圧縮空気が圧縮空気放水銃付き水槽部に導入され、この圧縮空気放水銃付き水槽部が前記導入された調整圧力よりも高い圧力の圧縮空気と供給手段から供給されて貯蔵された水の水圧が圧縮空気放水銃付き水槽部の下部に貯蔵された水にかかって高圧になった高圧水との混合された流体を作って圧縮空気高圧水タービン部に噴射して圧縮空気高圧水タービン部を回転し、この圧縮空気高圧水タービン部の回転が圧縮空気側発電機に伝達され、圧縮空気側発電機が回転して発電し、この圧縮空気側発電機による発電が満潮後の潮止まりでも圧縮空気圧力調整バルブの調整圧力よりも高い圧力の圧縮空気が圧縮空気タンクから圧縮空気高圧水タービン部の側に供給されて継続する。次に、下げ潮時に潜函の内部に作られた減圧空気が減圧空気逆流防止バルブを経由して減圧空気タンクに導入され、この減圧空気タンクに導入された減圧空気が減圧空気圧力調整バルブの調整圧力よりも低い圧力になるまで減圧空気タンクに貯蔵され、この減圧空気タンクに貯蔵された減圧空気が減圧空気圧力調整バルブの調整圧力よりも低い圧力になると、減圧空気圧力調整バルブが開き、調整圧力よりも低い圧力の減圧空気が減圧空気放水銃付き水槽部に導入され、この減圧空気放水銃付き水槽部が前記導入された調整圧力よりも低い圧力の減圧空気と供給手段から供給されて貯蔵された水の水圧が減圧空気放水銃付き水槽部の下部に貯蔵された水にかかって高圧になった高圧水との混合された流体を作って減圧空気高圧水タービン部に噴射して減圧空気高圧水タービン部を回転し、この減圧空気高圧水タービン部の回転が減圧空気側発電機に伝達され、減圧空気側発電機が回転して発電し、この減圧空気側発電機による発電が干潮後の潮止まりでも減圧空気圧力調整バルブの調整圧力よりも低い圧力の減圧空気が減圧空気タンクから減圧空気高圧水タービン部の側に供給されて継続することを特徴とする。
【発明の効果】
【０００７】
本発明は、圧縮空気タンクを有する圧縮空気発電機構部と減圧空気タンクを有する減圧空気発電機構部と給水手段とが陸側に設置されたことから、潜函以外の圧縮空気発電機構部と減圧空気発電機構部と給水手段とからなる付帯設備の保守点検がやりやすく、満潮から潮が引き始めるまでの間における満潮後の潮止まり中並びに干潮から潮が満ち始めるまでの間における干潮後の潮止まり中でも発電ができるという効果がある。本発明において回収ポンプ付きギヤーボックス部で回収された水を圧縮空気放水銃付き水槽部に戻せば、高圧水の消費量が減少する。又、本発明において、潜函が海底に人工漁礁設置可能に設けられた基礎部に固定されれば、潜函の設置が漁業に役立つ。
【図面の簡単な説明】
【０００８】
【図１】発明を実施するための形態の潮位発電装置の構成図。
【図２】発明を実施するための形態の圧縮空気放水銃付き水槽部の内部の断面図。
【図３】発明を実施するための形態の減圧空気放水銃付き水槽部の内部の断面図。
【図４】発明を実施するための形態の水位調整機構の内部の断面図。
【図５】発明を実施するための形態の圧縮空気放水銃の内部の初期状態の断面図。
【図６】発明を実施するための形態の圧縮空気放水銃の内部の噴射状態の断面図。
【図７】発明を実施するための形態の減圧空気放水銃の内部の初期状態の断面図。
【図８】発明を実施するための形態の減圧空気放水銃の内部の噴射状態の断面図。
【図９】従来の潮位発電装置を示す構成図。
【発明を実施するための形態】
【０００９】
図１を用いて発明を実施するための形態に係る潮位発電装置の構造を説明する。図１に示した潮位発電装置は、潜函１と圧縮空気発電機構部２と減圧空気発電機構部３と給水手段４とを備える。潜函１は、海側にバケツを逆さにした形で設けられ、干潮時でも潜函１の下開口部が海中に有り、満潮時には潜函１の内部に空気溜まりを残すように、海底に人工漁礁設置可能に設置された基礎部５に固定される。つまり、干潮時における潜函１の内部の海面６が潜函１の下部開口部よりも上方に位置し、満潮時における潜函１の内部の海面７が潜函１の天井部よりも下方に位置するように、潜函１がバケツを逆さにした形で基礎部５に設置されており、上げ潮時には潜函１の内部の海面が干潮時の海面６の位置から上昇するのに伴って潜函１の内部に圧縮空気を作り、下げ潮時には潜函１の内部の海面が満潮時の海面７の位置から下降するのに伴って潜函１の内部に減圧空気を作る。基礎部５には人工漁礁を作ることで、漁業に役立てることができる。潜函１は１個に限定されるものではなく複数個設け、それら複数個の潜函１の個々を互いに連結して単一の潜函１として機能するようにしてもよい。
【００１０】
圧縮空気発電機構部２は、陸側に設けられ、潜函１で作られた圧縮空気を圧縮空気タンク１０の側に導く圧縮空気送気管８と、圧縮空気送気管８に設けられかつ潜函１の側から圧縮空気タンク１０の側への圧縮空気の流通を許容しかつ圧縮空気タンク１０の側から潜函１の側への圧縮空気の逆流を防止する圧縮空気逆流防止バルブ９と、圧縮空気逆流防止バルブ９を流通した圧縮空気を貯蔵する圧縮空気タンク１０と、圧縮空気タンク１０に貯蔵された圧縮空気の圧力が調整圧力よりも高い圧力になるとその高い圧力の圧縮空気の流通を許容する圧縮空気圧力調整バルブ１１と、圧縮空気圧力調整バルブ１１を流通した圧縮空気と給水手段４の圧縮空気側給水管２３から供給されて圧縮空気放水銃付き水槽部１２に貯蔵された水の水圧が圧縮空気放水銃付き水槽部１２の下部の水にかかって高圧になった高圧水との混合された流体を圧縮空気高圧水タービン部１３に噴射する圧縮空気放水銃付き水槽部１２と、圧縮空気放水銃付き水槽部１２から噴射された圧縮空気と高圧水との混合された流体を受けて回転する圧縮空気高圧水タービン部１３と、圧縮空気高圧水タービン部１３の回転を圧縮空気側発電機１５に伝達するとともに圧縮空気高圧水タービン部１３に噴射された流体から水を回収する回収ポンプ付きギヤーボックス部１４と、圧縮空気高圧水タービン部１３の回転に伴って回転して発電する圧縮空気側発電機１５とを備える。圧縮空気逆流防止バルブ９の下方に図示した矢印及び圧縮空気圧力調整バルブ１１の下方に図示した矢印は圧縮空気の流れる方向を表す。回収ポンプ付きギヤーボックス部１４が設けられないで圧縮空気放水銃付き水槽部１２から噴射される圧縮空気と高圧水との混合された流体で圧縮空気高圧水タービン部１３を回転して圧縮空気側発電機１５で発電しても良い。
【００１１】
減圧空気発電機構部３は、陸側に設けられ、潜函１で作られた減圧空気を減圧空気タンク１８の側に導く減圧空気送気管１６と、減圧空気送気管１６に設けられかつ減圧空気タンク１８の側から潜函１の側への減圧空気の流通を許容しかつ潜函１の側から減圧空気タンク１８の側への減圧空気の逆流を防止する減圧空気逆流防止バルブ１７と、減圧空気逆流防止バルブ１７を流通した減圧空気を貯蔵する減圧空気タンク１８と、減圧空気タンク１８に貯蔵された減圧空気の圧力が調整圧力よりも低い圧力になるとその低い圧力の圧縮空気の流通を許容する圧縮空気圧力調整バルブ１９と、減圧空気放水銃付き水槽部２１から噴射された減圧空気と高圧水との混合された流体を受けて回転する減圧空気高圧水タービン部２０と、減圧空気圧力調整バルブ１９を流通した減圧空気と給水手段４の減圧空気側給水管２５から供給されて減圧空気放水銃付き水槽部２１に貯蔵された水の水圧が減圧空気放水銃付き水槽部２１の下部の水にかかって高圧になった高圧水との混合された流体を減圧空気高圧水タービン部２０に噴射する減圧空気放水銃付き水槽部２１と、減圧空気高圧水タービン部２０の回転に伴って回転して発電する減圧空気側発電機２２とを備える。減圧空気逆流防止バルブ１７の下方に図示した矢印及び減圧空気圧力調整バルブ１９の下方に図示した矢印は減圧空気の流れ及び当該減圧空気に含まれる高圧水の流れる方向を表す。減圧空気送気管１６の一端部が圧縮空気送気管８における圧縮空気タンク１０と圧縮空気逆流防止バルブ９との間の部分に接続された場合を例示したが、減圧空気送気管１６の一端部が圧縮空気送気管８における圧縮空気タンク１０と圧縮空気逆流防止バルブ９との間の部分に接続されないで潜函１の内部における上部に接続されても適用可能である。
【００１２】
給水手段４は、陸側に設けられかつ圧縮空気発電機構部２及び減圧空気発電機構部３に水を供給するものであり、圧縮空気放水銃付き水槽部１２に水を供給する圧縮空気側給水管２３と、回収ポンプ付きギヤーボックス部１４で回収された水を圧縮空気側給水管２３を経由して又は経由しないで圧縮空気放水銃付き水槽部１２に戻すリターン管２４と、減圧空気放水銃付き水槽部２１に水を供給する減圧空気側給水管２５とを備える。給水手段４に用いられる水としては、地下水又は川の水を電動水ポンプで■み上げた水又は川の水又は水道水又は飲料水に適さない工業用水又は飲料水に適さない農業用水を使用することが考えられる。リターン管２４が設けられなくても適用可能である。
【００１３】
図１に示した潮位発電装置の作用を説明する。上げ潮時には、潜函１の内部に作られた圧縮空気が、減圧空気逆流防止バルブ１７で遮断されて減圧空気タンク１８の側に行くことなく、圧縮空気送気管８及び圧縮空気逆流防止バルブ９を流通して圧縮空気タンク１０に導入される。この圧縮空気タンク１０に導入された圧縮空気の圧力が圧縮空気圧力調整バルブ１１の調整圧力よりも高い圧力になるまで、圧縮空気タンク１０に導入された圧縮空気は圧縮空気タンク１０に貯蔵される。そして、圧縮空気タンク１０に貯蔵された圧縮空気の圧力が圧縮空気圧力調整バルブ１１の調整圧力よりも高い圧力になると、圧縮空気圧力調整バルブ１１が開き、調整圧力よりも高い圧力の圧縮空気が給水手段４の圧縮空気側給水管２３及びリターン管２４から供給された水を貯蔵した圧縮空気放水銃付き水槽部１２に流通される。すると、圧縮空気放水銃付き水槽部１２は、圧縮空気圧力調整バルブ１１を流通した圧縮空気と給水手段４の圧縮空気側給水管２３及びリターン管２４から供給されて圧縮空気放水銃付き水槽部１２の下部に貯蔵された水に水圧がかかって高圧になった高圧水との混合された流体を作って圧縮空気高圧水タービン部１３に噴射する。これによって、圧縮空気高圧水タービン部１３が圧縮空気放水銃付き水槽部１２から噴射された圧縮空気と高圧水との混合された流体を受けて回転し、この圧縮空気高圧水タービン部１３の回転が回収ポンプ付きギヤーボックス部１４を経由して圧縮空気側発電機１５に伝達され、圧縮空気側発電機１５が回転して発電する。この圧縮空気側発電機１５による発電は、満潮後の潮止まりでも、圧縮空気圧力調整バルブ１１が開き、圧縮空気圧力調整バルブ１１の調整圧力よりも高い圧力の圧縮空気が圧縮空気タンク１０から圧縮空気高圧水タービン部１３の側に供給される間は継続する。
【００１４】
尚、満潮後の潮止まりになり、圧縮空気タンク１０内の圧縮空気が圧縮空気圧力調整バルブ１１の設定圧になると圧縮空気タンク１０内にそれと同調量の圧縮空気が残ってしまう。そこで、圧縮空気タンク１０内に浮遊板１０Ａを昇降可能に配置し、浮遊板１０Ａに浮遊板１０Ａと圧縮空気タンク１０との気密性を保つ水嚢１０Ｂを取り付け、圧縮空気タンク１０の上部と圧縮空気圧力調整バルブ１１とにバイパスパイプ１０Ｃを連結し、バイパスパイプ１０Ｃに大気の側からバイパスパイプ１０Ｃの側への流れを許容しバイパスパイプ１０Ｃの側から大気の側への流れを阻止するバルブ１０Ｄを連結する。これにより、満潮後の潮止まりが始まるのに伴い、浮遊板１０Ａと水嚢１０Ｂとの重量による空気圧が圧縮空気圧力調整バルブ１１を経て圧縮空気放水銃付き水槽部１２に供給される。そして、満潮後の潮止まりに潜函１からの空気の供給が止まれば浮遊板１０Ａと水嚢１０Ｂとが下降するのに伴い大気がバルブ１０Ｄからバイパスパイプ１０Ｃを経て圧縮空気タンク１０の上部に供給され、前記下降する浮遊板１０Ａと水嚢１０Ｂとの重量によって圧縮空気タンク１０内の圧縮空気が最後まで押し出されるので、圧縮空気タンク１０内の圧縮空気の全てを使い切ることができる。具体的には、圧縮空気タンク１０の形状を円筒形とし、圧縮空気タンク１０内に円板状の浮遊板１０Ａを配置し、浮遊板１０Ａに水嚢１０Ｂを取り付けた構造になっている。そして、上げ潮が始まると、潜函１から圧縮空気が圧縮空気送気管８及び圧縮空気逆流防止バルブ９を経て圧縮空気タンク１０内の下部に導入されると、その圧縮空気タンク１０内の下部に導入された圧縮空気が圧縮空気圧力調整バルブ１１を経て圧縮空気放水銃付き水槽部１２に供給されるとともに、前記圧縮空気タンク１０内の下部に導入された圧縮空気が浮遊板１０Ａと水嚢１０Ｂとを持ち上げ、圧縮空気タンク１０内の浮遊板１０Ａよりも上部に圧縮空気が発生し、この発生した圧縮空気が圧縮空気圧力調整バルブ１１を経て圧縮空気放水銃付き水槽部１２に供給される。つまり、上げ潮が始まると、圧縮空気が圧縮空気タンク１０内の下部と圧縮空気タンク１０内の上部とから圧縮空気放水銃付き水槽部１２に供給され、圧縮空気高圧水タービン部１３が圧縮空気放水銃付き水槽部１２から噴射された圧縮空気と高圧水との混合された流体を受けて回転する。
【００１５】
次に、下げ潮時には、潜函１の内部に作られた減圧空気が、圧縮空気逆流防止バルブ９で遮断されて圧縮空気タンク１０の側に行くことなく、圧縮空気送気管８及び減圧空気送気管１６から減圧空気逆流防止バルブ１７を流通して減圧空気タンク１８に導入される。この減圧空気タンク１８に導入された減圧空気の圧力が減圧空気圧力調整バルブ１９の調整圧力よりも低い圧力になるまで、減圧空気タンク１８に導入された減圧空気は減圧空気タンク１８に貯蔵される。そして、減圧空気タンク１８に貯蔵された減圧空気の圧力が減圧空気圧力調整バルブ１９の調整圧力よりも低い圧力になると、減圧空気圧力調整バルブ１９が開き、調整圧力よりも低い圧力の減圧空気が減圧空気放水銃付き水槽部２１に導入される。すると、減圧空気放水銃付き水槽部２１は、減圧空気圧力調整バルブ１９を流通した減圧空気と給水手段４の減圧空気側給水管２５から供給されて減圧空気放水銃付き水槽部２１に貯えられた水の水圧が減圧空気放水銃付き水槽部２１の下部の水にかかって高圧になった高圧水との混合された流体を作って減圧空気高圧水タービン部２０に噴射する。これによって、減圧空気高圧水タービン部２０が減圧空気放水銃付き水槽部２１から噴射された減圧空気と高圧水との混合された流体を受けて回転し、この減圧空気高圧水タービン部２０の回転が減圧空気側発電機２２に伝達され、減圧空気側発電機２２が回転して発電する。この減圧空気側発電機２２による発電は、干潮後の潮止まりでも、減圧空気圧力調整バルブ１９が開き、減圧空気圧力調整バルブ１９の調整圧力よりも低い圧力の減圧空気が減圧空気タンク１８から減圧空気高圧水タービン部２０の側に供給される間は継続する。
【００１６】
尚、下げ潮時に潜函１の内部に空気と水とが吸引されて、減圧空気タンク１８内は次第に減圧になって行くが、干潮後の潮止まりになると潜函１への吸引が止まり、減圧空気タンク１８内には溜まった減圧空気に見合った分だけ空気と水とが吸引されて溜まって行き次第に減圧空気タンク１８内は大気圧に近づくか又は大気圧になる。次に、上げ潮から満潮を経て次の下げ潮時に前記減圧空気タンク１８内に溜まった水が潜函１に一挙に吸引される。そして、次の干潮後の潮止まりには図４に示した水位調整機構５０によって干潮時の海面５６と潜函１内の海面６とは互いに同調されるが、同調されるまでの間は潜函１内での吸引能力が減少する。そこで、図１に示すように、減圧空気タンク１８にドレンパイプ１８Ａを設け、ドレンパイプ１８Ａに減圧空気タンク１８の側から大気の側への流れを許容し大気の側から減圧空気タンク１８の側への流れを阻止するドレンバルブ１８Ｂを設けておき、前記干潮後の潮止まりにおいて減圧空気タンク１８内が大気圧に近づくか又は大気圧になったときに、減圧空気タンク１８内に溜まった水の自重によってドレンバルブ１８Ｂを開いて、次の下げ潮時にまでに減圧空気タンク１８内を空にすることにより、前記潜函１内での吸引能力の減少を防ぐことができる。ドレンバルブ１８Ｂは減圧空気タンク１８内が空になると閉じる。
【００１７】
図２を用いて発明を実施するための形態に係る圧縮空気放水銃付き水槽部１２の構造を説明する。圧縮空気放水銃付き水槽部１２は、圧縮空気側給水管２３及びリターン管２４から供給される水を貯蔵する水槽３１と、水槽３１の下部側で水槽３１を貫通するように水槽３１に設けられた圧縮空気放水銃３２とを備える。
【００１８】
水槽３１の外部に突出した圧縮空気放水銃３２の一端部には圧縮空気圧力調整バルブ１１が接続され、水槽３１の外部に突出した圧縮空気放水銃３２の他端部の側に位置する噴射口部３３が圧縮空気高圧水タービン部１３の容器３４の内部に突出して縮空気高圧水タービン部１３のタービン３５に対向する。容器３４の内部にはタービンシャフト３６が軸受３７で回転可能に支持されている。容器３４の下部には回収ポンプ付きギヤーボックス部１４に接続した水溜まり部３８が設けられる。又、尚、図示は省略したが、回収ポンプ付きギヤーボックス部１４のシャフト及び圧縮空気側発電機１５のシャフトはタービンシャフト３６の回転に伴って回転するようにタービンシャフト３６に連結されている。
【００１９】
次に、図２に示した圧縮空気放水銃付き水槽部１２の作用を説明する。圧縮空気放水銃３２が圧縮空気圧力調整バルブ１１から供給された圧縮空気と圧縮空気側給水管２３及びリターン管２４から水槽３１に供給されて水槽３１の下部に貯蔵された水に水圧がかかって高圧になった高圧水との混合された流体が圧縮空気放水銃３２の噴射口部３３からタービン３５に向かって噴射される。これによって、例えば、消防の放水銃のように、圧縮空気と高圧水との混合された流体が圧縮空気放水銃３２からタービン３５に向かって噴射され、圧縮空気高圧水タービン部１３の回転が圧縮空気側発電機１５に伝達され、圧縮空気側発電機１５が発電する。圧縮空気放水銃３２から圧縮空気高圧水タービン部１３に噴射されてタービン３５を回して役目を終了した圧縮空気は圧縮空気高圧水タービン部１３から大気中に放出されて消失するが、高圧水は質と量が加わった力強い物質としてタービン３５を回した後に水溜まり部３８に水として集められ、この水溜まり部３８に集められた水が回収ポンプ付きギヤーボックス部１４からリターン管２４及び圧縮空気側給水管２３を経由して水槽３１に戻される。圧縮空気放水銃３２が圧縮空気と高圧水との混合された流体を作る構造については図５及び６で説明する。
【００２０】
図３を用いて発明を実施するための形態に係る減圧空気放水銃付き水槽部２１の構造を説明する。減圧空気放水銃付き水槽部２１は、減圧空気側給水管２５から供給された水を貯蔵する水槽４１と、水槽４１の下部側で水槽４１を貫通するように水槽４１に設けられた減圧空気放水銃４２とを備える。
【００２１】
減圧空気放水銃４２の上端部は、水槽４１よりも外部に突出しかつ水槽４１の外部の空気を吸引する吸気口部４３になっている。水槽４１の外部に突出した減圧空気放水銃４２の下端部の側に位置する噴射口部４４が減圧空気高圧水タービン部２０の容器４５の内部に突出して減圧空気高圧水タービン部２０のタービン４６に対向する。容器４５の内部には、タービンシャフト４７が軸受４８で回転可能に支持され、減圧空気圧力調整バルブ１９から減圧空気が導入される。尚、図示は省略したが、減圧空気側発電機２２のシャフトはタービンシャフト４７の回転に伴って回転するようにタービンシャフト４７に連結されている。
【００２２】
次に、図３に示した減圧空気放水銃付き水槽部２１の作用を説明する。減圧空気が減圧空気圧力調整バルブ１９から容器４５の内部を経由して減圧空気放水銃４２に供給され、水槽４１の外部の空気が減圧空気として減圧空気放水銃４２の吸気口部４３に吸い込まれ、この吸い込まれた減圧空気と減圧空気側給水管２５から水槽４１に供給されて水槽４１の下部に貯蔵された水に水圧がかかって高圧になった高圧水との混合された流体が減圧空気放水銃４２の噴射口部４４からタービン４６に向かって噴射される。これによって、例えば、消防の放水銃のように、減圧空気と高圧水との混合された流体が減圧空気放水銃４２からタービン４６に向かって噴射され、減圧空気高圧水タービン部２０の回転が減圧空気側発電機２２に伝達され、減圧空気側発電機２２が回転して発電する。タービン４６を回して役目を終了した減圧空気と、質と量とが加わった力強い物質としてタービン４６を回した後の高圧水とが、減圧空気圧力調整バルブ１９から図１における減圧空気タンク１８と減圧空気逆流防止バルブ１７と減圧空気送気管１６及び圧縮空気送気管８を経由して潜函１に戻される。減圧空気放水銃４２が減圧空気と高圧水との混合された流体を作る構造については図７及び８で説明する。
【００２３】
図４を用いて発明を実施するための形態に係る下げ潮時及びその後の潮止まり時に高圧水が潜函１に戻されても、干潮後の潮止まりの間に潜函１の内部の海面６を潜函１の外部における海面５６と同じ水位に保つための水位調整機構５０の構造を説明する。図４に示した水位調整機構５０は、吸気管５１とストッパー５２と吸気取り入れバルブ５３と浮輪５４とを備える。吸気管５１は、潜函１の外部における下方から潜函１の内部における上部に外気を取り入れるように潜函１に設けられる。吸気管５１の外気を取り入れる下端側の開口部５５は、干潮時の潜函１の外部における海面５６よりも上方に位置するように設置される。ストッパー５２は、吸気取り入れバルブ５３が浮輪５４によって上方に移動する範囲を規制するように吸気管５１の下端側の外部に固定される。吸気取り入れバルブ５３は、吸気管５１の下端部の外周部を囲みかつ上下方向に移動可能となるように嵌め込まれるように上下方向に開口した筒状になっている。吸気取り入れバルブ５３の下端部には、吸気取り入れ凹部５７が吸気取り入れバルブ５３の内外及び下方に開口する凹状に設けられる。浮輪５４は、吸気取り入れ凹部５７の周りで吸気取り入れバルブ５３の外部に固定される。
【００２４】
図４に示した水位調整機構５０の作用を説明する。下げ潮が始まる時は、潜函１の外部における海面５６が図４に示した位置よりも上方に有り、この上方に有る潜函１の外部における海面５６又は当該海面５６よりも下方の海中に浮輪５４が存在し、浮輪５４が当該海面５６又は海中から受ける浮力によって吸気管５１に対して吸気取り入れバルブ５３を上方に移動し、吸気取り入れバルブ５３の上端部がストッパー５２に衝突し、吸気取り入れバルブ５３の上方への移動が阻止されている。
【００２５】
そして、下げ潮が進行し、潜函１の外部における海面５６が図４に示した位置よりも上方から図４に示した位置の側に移動する。その後、干潮後の潮止まりになり、潜函１の外部における海面５６が図４に示した位置に到達すると、浮輪５４が潜函１の外部における海面５６の上に浮き、吸気取り入れバルブ５３が下方に移動してストッパー５２から離れた状態となり、吸気取り入れ凹部５７の上部と潜函１の外部における海面５６との間に隙間５８が形成される。すると、吸気取り入れバルブ５３の外部における空気が吸気取り入れバルブ５３の外部から隙間５８と吸気取り入れバルブ５３の内部と吸気管５１の内部とを経由して潜函１の内部に補給されて干潮時の潜函１の内部における海面６が干潮時の潜函１の外部における海面５６と同じ位置になる。
【００２６】
図５を用いて発明を実施するための形態に係る圧縮空気放水銃付き水槽部１２における圧縮空気放水銃３２の構造を説明する。図５に示した圧縮空気放水銃３２は、圧縮空気圧力調整バルブ１１の側と圧縮空気高圧水タービン部１３の側とに位置する両端部が開口された筒状になっており、水槽３１の下部側に設けられた圧縮空気放水銃取付部６１に設置されている。圧縮空気放水銃３２の圧縮空気放水銃取付部６１に設置された部分には、圧縮空気放水銃取付部６１に設けられた取付側通水孔部６２に繋がる銃側通水孔部６３が設けられる。取付側通水孔部６２及び銃側通水孔部６３は、圧縮空気放水銃取付部６１の周方向に分かれて設けられた複数個になっている。圧縮空気放水銃３２の水槽３１から圧縮空気高圧水タービン部１３の側に突出した噴射口部３３は、圧縮空気と高圧水との混合した流体を圧縮空気高圧水タービン部１３のタービン３５に集中して噴射する先細り形状になっている。
【００２７】
圧縮空気放水銃３２の内部には、ピストンバルブ６５とリターンスプリング６６とストッパー６７とガイド突起６８とガイド受け６９とが設けられる。ピストンバルブ６５は、圧縮空気圧力調整バルブ１１の側と圧縮空気高圧水タービン部１３の側とに位置する両端部が開口された筒状になっており、圧縮空気圧力調整バルブ１１の側の開口部にガイド支持部７１を備える。ガイド支持部７１は、ピストンバルブ６５における圧縮空気圧力調整バルブ１１の側の開口部の中心部から当該開口部を囲む外周部の側に複数本のアームを圧縮空気圧力調整バルブ１１の側から見て例えばＹ字形のように放射状に延ばして前記外周部に固定した形になっている。
【００２８】
ガイド支持部７１の中心部には、ガイド突起６８が固定される。ガイド突起６８は、ガイド支持部７１から圧縮空気高圧水タービン部１３の側に突出してガイド受け６９に圧縮空気圧力調整バルブ１１の側と圧縮空気高圧水タービン部１３の側との側に移動可能に受容されている。ピストンバルブ６５における圧縮空気高圧水タービン部１３の側の開口部を囲む外周部には、ガイド溝７２が設けられる。ガイド溝７２は、ピストンバルブ６５における圧縮空気高圧水タービン部１３の側の開口部の側と当該開口部を囲む外周部の直径方向の側とに開口する窪みになっており、ピストンバルブ６５の周方向に分かれて複数個設けられている。
【００２９】
ピストンバルブ６５における圧縮空気圧力調整バルブ１１の側の開口部を囲む外周部には、バルブ側通水孔部７３がピストンバルブ６５の直径方向に貫通して設けられる。バルブ側通水孔部７３は、ピストンバルブ６５の周方向に分かれて複数個設けられている。複数個のバルブ側通水孔部７３と複数個のガイド溝７２とが、互いにピストンバルブ６５の周方向に位置をずらして設けられている。
【００３０】
リターンスプリング６６は、ガイド支持部７１とストッパー６７との間でピストンバルブ６５の内側空間部に収容されたコイルスプリングとして構成されている。そして、ピストンバルブ６５の内側空間部に収容されたリターンスプリング６６に圧縮空気圧力調整バルブ１１の側と圧縮空気高圧水タービン部１３の側とから圧縮するような外力が加わらない状態（ピストンバルブ６５の初期状態と同義語）において、リターンスプリング６６がピストンバルブ６５のガイド支持部７１とストッパー６７とが互いに圧縮空気圧力調整バルブ１１の側と圧縮空気高圧水タービン部１３の側とに離れる方向にピストンバルブ６５を付勢し、バルブ側通水孔部７３が銃側通水孔部６３と繋がらないように圧縮空気圧力調整バルブ１１の側に位置し、ピストンバルブ６５のガイド溝７２及びバルブ側通水孔部７３の存在しない外周部が銃側通水孔部６３を塞ぎ、圧縮空気放水銃付き水槽部１２の高圧水を圧縮空気放水銃３２の内部に漏れないように遮断する。このように圧縮空気放水銃付き水槽部１２の高圧水を圧縮空気放水銃３２の内部に漏れないようになった状態は、ピストンバルブ６５が閉じられた状態である。
【００３１】
ストッパー６７は、圧縮空気放水銃３２の中心部から外周部の側に複数本のアームを圧縮空気高圧水タービン部１３の側から見て例えたＹ字形のように放射状に延ばして圧縮空気放水銃３２の外周部に固定されてガイド溝７２に圧縮空気圧力調整バルブ１１の側と圧縮空気高圧水タービン部１３の側との側に移動可能に受容されたことによって、ピストンバルブ６５が圧縮空気放水銃３２に対して周方向に移動しないように回り止めされている。ストッパー６７のアームとガイド溝７２との個数は単数でも適用可能である。ストッパー６７のアームとガイド溝７２との個数が単数の場合、ストッパー６７が圧縮空気放水銃３２の中心部と圧縮空気放水銃３２の外周部とに固定されてガイド溝７２に圧縮空気圧力調整バルブ１１の側と圧縮空気高圧水タービン部１３の側との側に移動可能に受容された態様となり、ストッパー６７とアームとが同義語である。ストッパー６７の中心部には、ガイド受け６９が固定される。ガイド受け６９は、ストッパー６７から圧縮空気高圧水タービン部１３の側に突出してガイド突起６８を圧縮空気圧力調整バルブ１１の側と圧縮空気高圧水タービン部１３の側との側に移動可能に受容している。
【００３２】
図５及び６を用いて圧縮空気放水銃３２の作用を説明する。図５に示した圧縮空気放水銃３２において、リターンスプリング６６に圧縮空気圧力調整バルブ１１の側と圧縮空気高圧水タービン部１３の側とから圧縮するような外力が加わらない状態、つまり、圧縮空気放水銃付き水槽部１２の高圧水を圧縮空気放水銃３２の内部に漏れないように、ピストンバルブ６５が閉じられた状態、即ち、ピストンバルブ６５の初期状態において、圧縮空気圧力調整バルブ１１が開き、調整圧力よりも高い圧力の圧縮空気が矢印７４で示したように圧縮空気放水銃３２の内部に供給されてガイド支持部７１に当たりピストンバルブ６５を圧縮空気高圧水タービン部１３の側に押すと、ピストンバルブ６５がリターンスプリング６６を圧縮しながら圧縮空気高圧水タービン部１３の側に移動する。
【００３３】
次に、図６に示したように、ピストンバルブ６５が仮想線で表した初期位置７５から実線で表したように移動し、ガイド溝７２がストッパー６７に当たり、ピストンバルブ６５が停止し、バルブ側通水孔部７３が取付側通水孔部６２及び銃側通水孔部６３と合致し、圧縮空気放水銃付き水槽部１２の水槽３１に貯蔵された水の水圧が水槽３１の下部の圧縮空気放水銃取付部６１の周りにおける水にかかって高圧になった高圧水は矢印７６で示したようにピストンバルブ６５の内部に噴出する。そして、上記ピストンバルブ６５の内部に噴出した高圧水の水流がガイド支持部７１の複数本のアーム間の隙間を経由してピストンバルブ６５の内部に放出した矢印７４で示した圧縮空気で加勢され、圧縮空気と高圧水との混合した流体がピストンバルブ６５の内部から圧縮空気放水銃３２の噴射口部３３を経由して圧縮空気高圧水タービン部１３のタービン３５に噴射される。これによって、タービン３５が回転し、図３の圧縮空気側発電機１５が発電する。その後、圧縮空気圧力調整バルブ１１の側から圧縮空気放水銃付き水槽部１２の側への圧縮空気の供給が停止すると、図５に示したようにピストンバルブ６５がリターンスプリング６６で初期位置に戻されて銃側通水孔部６３を塞ぎ、高圧水の圧縮空気放水銃３２への供給が止まる。
【００３４】
図７を用いて発明を実施するための形態に係る減圧空気放水銃付き水槽部２１における減圧空気放水銃４２の構造を説明する。図７に示した減圧空気放水銃４２は、減圧空気高圧水タービン部２０の側と減圧空気放水銃付き水槽部２１の側とに位置する両端部が開口された筒状になっており、水槽４１の下部側に設けられた減圧空気放水銃取付部８１に設置されている。減圧空気放水銃４２の減圧空気放水銃取付部８１に設置された部分には、減圧空気放水銃取付部８１に設けられた取付側通水孔部８２に繋がる銃側通水孔部８３が設けられる。取付側通水孔部８２及び銃側通水孔部８３は、減圧空気放水銃取付部８１の周方向に分かれて設けられた複数個になっている。減圧空気放水銃４２の水槽４１から減圧空気高圧水タービン部２０の側に突出した噴射口部４４は、減圧空気と高圧水との混合した流体を減圧空気高圧水タービン部２０のタービン４６に集中して噴射する先細り形状になっている。
【００３５】
減圧空気放水銃４２の内部には、ピストンバルブ８５とリターンスプリング８６とストッパー８７とガイド突起８８とガイド受け８９とが設けられる。ピストンバルブ８５は、減圧空気高圧水タービン部２０の側と減圧空気放水銃付き水槽部２１の側とに位置する両端部が開口された筒状になっており、減圧空気放水銃付き水槽部２１の側の開口部にガイド支持部９１を備える。ガイド支持部９１は、ピストンバルブ８５における減圧空気放水銃付き水槽部２１の側の開口部の中心部から当該開口部を囲む外周部の側に複数本のアームを減圧空気放水銃付き水槽部２１の側から見て例えばＹ字形のように放射状に延ばして前記外周部に固定した形になっている。
【００３６】
ガイド支持部９１の中心部には、ガイド突起８８が固定される。ガイド突起８８は、ガイド支持部９１から減圧空気高圧水タービン部２０の側に突出してガイド受け８９に減圧空気高圧水タービン部２０の側と減圧空気放水銃付き水槽部２１の側とに移動可能に受容されている。ピストンバルブ８５における減圧空気高圧水タービン部２０の側の開口部を囲む外周部には、ガイド溝９２が設けられる。ガイド溝９２は、ピストンバルブ８５における減圧空気高圧水タービン部２０の側の開口部の側と当該開口部を囲む外周部の直径方向の側とに開口する窪みになっており、ピストンバルブ８５の周方向に分かれて複数個設けられている。
【００３７】
ピストンバルブ８５における減圧空気放水銃付き水槽部２１の側の開口部を囲む外周部には、バルブ側通水孔部９３がピストンバルブ８５の直径方向に貫通して設けられる。バルブ側通水孔部９３は、ピストンバルブ８５の周方向に分かれて複数個設けられている。複数個のガイド溝９２と複数個のバルブ側通水孔部９３とが、互いにピストンバルブ８５の周方向に位置をずらして設けられている。
【００３８】
リターンスプリング８６は、ガイド支持部９１とストッパー８７との間でピストンバルブ８５の内側空間部に収容されたコイルスプリングとして構成されている。そして、ピストンバルブ８５の内側空間部に収容されたリターンスプリング８６に減圧空気高圧水タービン部２０の側と減圧空気放水銃付き水槽部２１の側とから圧縮するような外力が加わらない状態（ピストンバルブ８５の初期状態と同義語）において、リターンスプリング８６がピストンバルブ８５のガイド支持部９１とストッパー８７とが互いに減圧空気高圧水タービン部２０の側と減圧空気放水銃付き水槽部２１の側とに離れる方向にピストンバルブ８５を付勢し、バルブ側通水孔部９３が銃側通水孔部８３と繋がらないように減圧空気放水銃付き水槽部２１の側に位置し、ピストンバルブ８５のガイド溝９２及びバルブ側通水孔部９３の存在しない外周部が銃側通水孔部８３を塞ぎ、減圧空気放水銃付き水槽部２１の高圧水を減圧空気放水銃４２の内部に漏れないように遮断する。このように減圧空気放水銃付き水槽部２１の高圧水を減圧空気放水銃４２の内部に漏れないようになった状態は、ピストンバルブ８５が閉じられた状態である。
【００３９】
ストッパー８７は、減圧空気放水銃４２の中心部から外周部の側に複数本のアームを減圧空気高圧水タービン部２０の側から見て例えばＹ字形のように放射状に延ばして前記外周部に固定されてガイド溝９２に減圧空気高圧水タービン部２０の側と減圧空気放水銃付き水槽部２１の側とに移動可能に受容されている。ストッパー８７の中心部には、ガイド受け８９が固定される。ガイド受け８９は、ストッパー８７から減圧空気高圧水タービン部２０の側に突出してガイド突起８８を減圧空気高圧水タービン部２０の側と減圧空気放水銃付き水槽部２１の側とに移動可能に受容している。上記のようにストッパー８７とガイド溝９２とが互いに減圧空気高圧水タービン部２０の側と減圧空気放水銃付き水槽部２１の側とに移動可能に受容された構造、ガイド突起８８とガイド受け８９とが互いに減圧空気高圧水タービン部２０の側と減圧空気放水銃付き水槽部２１の側とに移動可能に受容された構造のそれぞれは、ピストンバルブ８５が減圧空気放水銃４２に対して周方向に移動しないように、ピストンバルブ８５を回り止めしている。
【００４０】
図７及び８を用いて減圧空気放水銃４２の作用を説明する。図７に示した減圧空気放水銃４２において、リターンスプリング８６に減圧空気高圧水タービン部２０の側と減圧空気放水銃付き水槽部２１の側とから圧縮するような外力が加わらない状態、つまり、減圧空気放水銃付き水槽部２１の高圧水を減圧空気放水銃４２の内部に漏れないように、ピストンバルブ８５が閉じられた状態、即ち、ピストンバルブ８５の初期状態において、減圧空気圧力調整バルブ１９が開き、調整圧力よりも高い圧力の減圧空気が減圧空気放水銃４２の噴射口部４４からストッパー８７の複数本のアーム間の隙間を経由して減圧空気放水銃４２の内部に到達することに伴い水槽４１の外部から減圧空気放水銃４２の吸気口部４３に減圧空気として吸い込まれた空気が矢印９４で示したように減圧空気放水銃４２の内部に供給されてガイド支持部９１に当たりピストンバルブ８５を減圧空気高圧水タービン部２０の側に押すと、ピストンバルブ８５がリターンスプリング８６を圧縮しながら減圧空気高圧水タービン部２０の側に移動する。
【００４１】
次に、図８に示したように、ピストンバルブ８５が仮想線で表した初期位置９５から実線で表したように移動し、ガイド溝９２がストッパー８７に当たり、ピストンバルブ８５が停止し、バルブ側通水孔部９３が取付側通水孔部８２及び銃側通水孔部８３と合致し、減圧空気放水銃付き水槽部２１の水槽４１に貯蔵された水の水圧が水槽４１の下部の減圧空気放水銃取付部８１の周りにおける水にかかって高圧になった高圧水は矢印９６で示したようにピストンバルブ８５の内部に噴出する。そして、上記ピストンバルブ８５の内部に噴出した高圧水の水流がガイド支持部９１の複数本のアーム間の隙間を経由してピストンバルブ８５の内部に放出した矢印９４で示した減圧空気で加勢され、減圧空気と高圧水との混合した流体がピストンバルブ８５の内部から減圧空気放水銃４２の噴射口部４４を経由して減圧空気高圧水タービン部２０のタービン４６に噴射される。これによって、タービン４６が回転し、図３の減圧空気側発電機２２が発電する。その後、減圧空気圧力調整バルブ１９の側から減圧空気放水銃付き水槽部２１の側への減圧空気の供給が停止すると、図７に示したようにピストンバルブ８５がリターンスプリング８６で初期位置に戻されて銃側通水孔部８３を塞ぎ、高圧水の減圧空気放水銃４２への供給が止まる。
【符号の説明】
【００４２】
１      潜函
２      圧縮空気発電機構部
３      減圧空気発電機構部
４      給水手段
５      基礎部
６      干潮時における潜函１の内部の海面
７      満潮時における潜函１の内部の海面
８      圧縮空気送気管
９      圧縮空気逆流防止バルブ
１０    圧縮空気タンク
１１    圧縮空気圧力調整バルブ
１２    圧縮空気放水銃付き水槽部
１３    圧縮空気高圧水タービン部
１４    回収ポンプ付きギヤーボックス部
１５    圧縮空気側発電機
１６    減圧空気送気管
１７    減圧空気逆流防止バルブ
１８    減圧空気タンク
１８Ａ  ドレンパイプ
１８Ｂ  ドレンバルブ
１９    減圧空気圧力調整バルブ
２０    減圧空気高圧水タービン部
２１    減圧空気放水銃付き水槽部
２２    減圧空気側発電機
２３    圧縮空気側給水管
２４    リターン管
２５    減圧空気側給水管
３１    圧縮空気放水銃付き水槽部１２の水槽
３２    圧縮空気放水銃付き水槽部１２の圧縮空気放水銃
３３    圧縮空気放水銃３２の噴射口部
３４    圧縮空気高圧水タービン部１３の容器
３５    圧縮空気高圧水タービン部１３のタービン
３６    圧縮空気高圧水タービン部１３のタービンシャフト
３７    圧縮空気高圧水タービン部１３の軸受
３８    水溜まり部
４１    減圧空気放水銃付き水槽部２１の水槽
４２    減圧空気放水銃付き水槽部２１の減圧空気放水銃
４３    減圧空気放水銃４２の吸気口部
４４    減圧空気放水銃４２の噴射口部
４５    減圧空気高圧水タービン部２０の容器
４６    減圧空気高圧水タービン部２０のタービン
４７    減圧空気高圧水タービン部２０のタービンシャフト
４８    減圧空気高圧水タービン部２０の軸受
５０    水位調整機構
５１    吸気管
５２    ストッパー
５３    吸気取り入れバルブ
５４    浮輪
５５    開口部
５６    干潮時の潜函１の外部における海面
５７    吸気取り入れ凹部
５８    隙間
６１    圧縮空気放水銃取付部（図５参照）
６２    取付側通水孔部
６３    銃側通水孔部
６５    ピストンバルブ
６６    リターンスプリング
６７    ストッパー
６８    ガイド突起
８９    ガイド受け
７１    ガイド支持部
７２    ガイド溝
７３    バルブ側通水孔部
７４    圧縮空気放水銃３２の内部での圧縮空気の流れを表す矢印
７５    圧縮空気放水銃３２におけるピストンバルブ６５の初期位置
７６    圧縮空気放水銃付き水槽部１２からピストンバルブ６５への高圧水の流れを表す矢印
８１    減圧空気放水銃取付部（図７参照）
８２    取付側通水孔部
８３    銃側通水孔部
８５    ピストンバルブ
８６    リターンスプリング
８７    ストッパー
８８    ガイド突起
８９    ガイド受け
９１    ガイド支持部
９２    ガイド溝
９３    バルブ側通水孔部
９４    減圧空気放水銃４２の内部での減圧空気の流れを表す矢印
９５    減圧空気放水銃４２におけるピストンバルブ８５の初期位置
９６    減圧空気放水銃付き水槽部２１からピストンバルブ８５への高圧水の流れを表す矢印
【図１】
2019078265.tif 000003
【図２】
2019078265.tif 000004
【図３】
2019078265.tif 000005
【図４】
2019078265.tif 000006
【図５】
2019078265.tif 000007
【図６】
2019078265.tif 000008
【図７】
2019078265.tif 000009
【図８】
2019078265.tif 000010
【図９】
2019078265.tif 000011